(57)【要約】【課題】本発明は、緊急通報装置の警報音を鳴らすと、同時に音響的な環境に影響されない無線電波で警報音を鳴らした旨の信号を送信する。そして、その周辺に点在する他の緊急通報装置が無線電波の信号を受信すると、自らも新たに警報音を発すると共に、続けて無線電波で警報音を鳴らした旨の信号を送信する。同様に中継を繰り返すことで遠方に至る広範囲の人々まで緊急事態の発生を通報することができる緊急通報装置の提供を目的とする。【解決手段】上記目的を達成するために本発明の緊急通報装置は、警報音を発する警報音出力手段と、警報音を発することのスイッチ操作する警報音動作手段と、警報音出力手段の出力動作を制御する発信出力制御処理手段と、発信出力制御処理手段で警報音の制御を行ったことの情報を無線電波で伝える無線電波送信手段と、無線電波送信手段による無線電波を受け取る無線電波受信手段を有することを特徴とすることを特徴としている。【選択図】図２
2007241964.tif 000002
【特許請求の範囲】
【請求項１】
警報音を発する警報音出力手段と、警報音を発することのスイッチ操作する警報音動作手段と、前記警報音出力手段の出力動作を制御する発信出力制御処理手段と、前記発信出力制御処理手段で警報音の制御を行ったことの情報を無線電波で伝える無線電波送信手段と、前記無線電波送信手段による無線電波を受け取る無線電波受信手段を有することを特徴とする緊急通報装置
【請求項２】
前記発信制御処理手段は、前記無線電波受信手段から、他で警報音が発せられた情報の信号を受け取ると、前記警報音出力手段に警報音を発することの制御を行うことを特徴とする請求項１記載の緊急通報装置。
【請求項３】
前記発信制御処理手段は、前記警報音動作手段のスイッチ操作を受けて、前記警報音出力手段を制御して警報音を発することを特徴とする請求項１記載の緊急通報装置。
【請求項４】
前記発信制御処理手段は、前記音響出力手段から発する警報音の断続の時間間隔を制御することを特徴とする請求項１記載の緊急通報装置。
【発明の詳細な説明】
【技術分野】
【０００１】本発明は、緊急事態を通報する緊急通報装置に関するものである。
【背景技術】
【０００２】人が犯罪行為などの緊急事態に遭遇したことを周辺の人々に知らせる手段として大音量の警報音を発する防犯ブザーなどが広く使用されている。
【発明の開示】
【発明が解決しようとする課題】
【０００３】警報音を聴き緊急事態の発生を認識できる人々は、警報音が届く範囲内で聴き得ることが可能な人々だけであるが、その範囲内の人でも周辺の騒音が大きい場合や音響的に密閉された室内に居ると聴き得ることが困難である。更に遠方の広範囲の人々に至っては、警報音が小さくなって届き聴き得ることが困難となる。【０００４】そこで本発明は、緊急通報装置の警報音を鳴らすと、同時に音響的な環境に影響されない無線電波で警報音を鳴らした旨の信号を送信する。そして、その周辺に点在する他の緊急通報装置が無線電波の信号を受信すると、自らも新たに警報音を発すると共に、続けて無線電波で警報音を鳴らした旨の信号を送信する。同様に複数の緊急通報装置が中継を繰り返すことで遠方に至る広範囲の人々までも緊急事態の発生を通報することができる緊急通報装置の提供を目的とする。
【課題を解決するための手段】
【０００５】上記目的を達成するために本発明の緊急通報装置は、警報音を発する警報音出力手段と、警報音を発することのスイッチ操作する警報音動作手段と、前記警報音出力手段の出力動作を制御する発信出力制御処理手段と、前記発信出力制御処理手段で警報音の制御を行ったことの情報を無線電波で伝える無線電波送信手段と、前記無線電波送信手段による無線電波を受け取る無線電波受信手段を有することを特徴としている。【０００６】前記発信制御処理手段は、前記無線電波受信手段から、他で警報音が発せられた情報の信号を受け取ると、前記警報音出力手段に警報音を発することの制御を行うことを特徴としている。【０００７】前記発信制御処理手段は、前記警報音動作手段のスイッチ操作を受けて、前記警報音出力手段を制御して警報音を発することを特徴としている。【０００８】前記発信制御処理手段は、前記音響出力手段から発する警報音の断続の時間間隔を制御することを特徴としている。
【発明の効果】
【０００９】本発明によって、ある一つの緊急通報装置の警報音が鳴りだすと、無線電波を介在して、その周辺に点在する複数の緊急通報装置も一斉に鳴り出させることで、近辺で密閉された屋内に居て聴き得ることが困難な人々や、遠方の広範囲の多くの人々までにも緊急事態の発生を通報することができる。【００１０】また、最初に鳴らした緊急通報装置の警報音と、続けて鳴らされた緊急通報装置の警報音と、更に続けて次々と鳴らされる緊急通報装置の警報音を違えることで、途中または遠方で警報音を聴いた人でも緊急事態の発生現場にたどり着ける。
【発明を実施するための最良の形態】
【００１１】本発明の緊急通報装置を、図面を基に説明する。図１は実施例における装置構成の概要を示すブロック図である。緊急事態において警報音を鳴らす場合は、警報音動作手段５００のＯＮ／ＯＦＦスイッチ５１０の操作を行う。これを受けた発信制御処理手段４００はＣＰＵ部４１０による制御処理によって警報音出力手段６００の駆動部６１０に渡されてブザー６２０から大音量の警報音を発する。【００１２】続いて無線電波送信手段３００は、発信制御処理手段４００から警報音を発する制御の情報を含む送信データとして受け取り、これを基にデータ変調部３１０で変調を施した無線電波をアンテナ１００から周辺に送出する。【００１３】一方で無線電波受信手段２００は、他の緊急通報装置からの無線電波を受信してデータ復調部２１０で受信データに復調する。この受信データを基に発信制御処理手段４００は警報音出力手段６００の駆動部６１０を制御することでブザー６２０から新たに警報音を鳴らすと共に、受信データを基に自らの警報音を発する制御の情報を含む送信データとして無線電波送信手段３００に渡し無線電波を送出させることで中継を行う。【００１４】音響出手段６００は大音量を発するブザー６２０またはスピーカーである。これを鳴らす動作は発信制御処理手段４００からの駆動部６１０の制御によって、断続の連なる警報音を発することが出来る。【００１５】図２は、実施例における警報音の伝達の概要を示す図である。緊急事態の発生で警報音を鳴らすことで緊急通報装置（Ａ）からは、最短の断続周期時間による断続の警報音を発すると共に、無線電波で警報音を発したことの情報データを送出する。【００１６】周辺に点在する緊急通報装置の中で、あるひとつの緊急通報装置（Ｂ）が、緊急通報装置（Ａ）からの無線電波を受信したとすると緊急通報装置（Ａ）の発した警報音より、更に断続周期時間の長い警報音を発すると共に、無線電波で新たに警報音を発したことの情報データを送出する。【００１７】さらに、他の緊急通報装置（Ｃ）が、緊急通報装置（Ｂ）からの無線電波を受信すると緊急通報装置（Ｂ）の発した警報音より、更に断続周期時間の長い警報音を発すると共に、無線電波で新たに警報音を発したことの情報データを送出す。【００１８】このように次々と警報音が広範囲に伝達中継されて行く。ただし、この伝達が無制限に行われることを防ぐために無線電波で送信される情報データに伝達回数の情報を付加することで、緊急通報装置は、何回の伝達が行われたかを把握して、予め定められた回数の制限で伝達を行う。【００１９】最初に鳴らした緊急通報装置の警報音と、中継された緊急通報装置の警報音とを違えれば最初に鳴らした現場にたどり易い。また、緊急通報装置からの無線電波の出力に制限を与えることで、電波の届く到達距離は限定できる。
【図面の簡単な説明】
【００２０】
【図１】は実施形態による緊急通報装置の構成を示すブロック図である。
【図２】は実施形態による緊急通報装置の警報音を説明する図である。
【符号の説明】
【００２１】１００  アンテナ
２００  無線電波受信手段
２１０  データ復調部
３００  無線電波送信手段
３１０  データ変調部
４００  発信制御処理手段
４１０  ＣＰＵ部
５００  警報音動作手段
５１０  ＯＮ／ＯＦＦスイッチ
６００  警報音出力手段
６１０  駆動部
６２０  ブザー
【図１】
2007241964.tif 000003
【図２】
2007241964.tif 000004